(57)【要約】【課題】着信端末選択サーバ及びドメイン選択サーバがそれぞれ配された移動通信システムにおいて、適切にドメイン及び端末を選択することが出来る移動通信システム等を提供すること。【解決手段】回線交換ネットワークと、パケット交換ネットワークとの両方の通信ドメインを有する移動通信システムにおいて、通信端末間での呼接続、セッション接続を制御するＣＳＣＦ３０・ＭＳＣ４０と、着信端末選択サーバ１０と、ドメイン選択サーバ２０とが配されており、端末がセッションを生成する際に、着信端末選択サーバ１０において、着信先として選択した端末がいずれの通信ドメインを経由して接続するかを選択する。【選択図】図１
2008219268.tif 000002
【特許請求の範囲】
【請求項１】
回線交換ネットワークと、パケット交換ネットワークとの両方の通信ドメインを有する移動通信システムは、
通信端末間での呼接続、セッション接続を制御する呼・セッション制御装置と、
いずれの通信ドメインを経由して接続するかを決定して前記呼・セッション制御装置に通知するドメイン選択装置と、
着信先として接続する端末を選択する着信端末選択装置と、
前記通信ドメインを介して接続される通信端末と、
を備え、
前記着信端末選択装置は、着信先として選択した通信端末がいずれの通信ドメインを経由して接続するかを示すドメイン選択手段を有することを特徴とする移動通信システム。
【請求項２】
前記呼・セッション制御装置は、通信端末からの呼・セッション接続要求を受信すると、前記呼・セッション制御装置から前記着信端末選択装置への問い合わせを行い、前記着信端末選択装置からの応答にドメイン選択結果を示す情報が含まれた場合に、前記呼・セッション制御装置から前記ドメイン選択装置への問い合わせを省略することを特徴とする請求項１に記載の移動通信システム。
【請求項３】
前記呼・セッション制御装置は、通信端末からの呼・セッション接続要求を受信すると、前記呼・セッション制御装置から前記着信端末選択装置への問い合わせを行い、前記着信端末選択装置からの応答に含まれるドメイン選択結果を示す情報を、前記呼・セッション制御装置から前記ドメイン選択装置へ通知して、経由する通信ドメインの問い合わせを行うことを特徴とする請求項１に記載の移動通信システム。
【請求項４】
前記呼・セッション制御装置は、前記着信端末選択装置からの応答に含まれるドメイン選択結果と、前記ドメイン選択装置からの応答に含まれるドメイン選択結果とのいずれかを選択して経由する通信ドメインを決定することを特徴とする請求項２又は３に記載の移動通信システム。
【請求項５】
発呼側の通信端末が要求したドメインと、前記着信端末選択装置が選択したドメインとが同一の場合に、前記着信端末選択装置からの応答に含まれるドメイン選択結果を前記ドメイン選択装置からの応答に含まれるドメイン選択結果に優先して選択することを特徴とする請求項４に記載の移動通信システム。
【請求項６】
発呼側の通信端末が要求したドメインと、前記着信端末選択装置が選択したドメインとが異なる場合に、前記ドメイン選択装置への問い合わせを行い、前記ドメイン選択装置からの応答に含まれるドメイン選択結果を優先して選択することを特徴とする請求項４に記載の移動通信システム。
【請求項７】
発呼側の通信端末が要求したドメインが回線交換ドメインである場合には、前記着信端末選択装置への問い合わせと、前記ドメイン選択装置への問い合わせとを行い、発呼側通信端末が要求したドメインがパケット交換ドメインである場合には、前記着信端末選択装置への問い合わせのみを行い前記ドメイン選択装置への問い合わせを省略することを特徴とする請求項１に記載の移動通信システム。
【請求項８】
発呼側の通信端末が要求したドメインがパケット交換ドメインである場合に、前記着信端末選択装置への問い合わせと、前記ドメイン選択装置への問い合わせとを行い、発呼側の通信端末が要求したドメインが回線交換ドメインである場合に、前記着信端末選択装置への問い合わせのみを行い前記ドメイン選択装置への問い合わせを省略することを特徴とする請求項１に記載の移動通信システム。
【請求項９】
請求項１から８に記載の移動通信システムにおける着信端末選択装置であって、
着信先として選択した通信端末がいずれの通信ドメインを経由して接続するかを示すドメイン選択手段を有することを特徴とする着信端末選択装置。
【請求項１０】
請求項１から８に記載の移動通信システムにおける呼・セッション制御装置であって、
通信端末からの呼・セッション接続要求を受信すると、前記着信端末選択装置への問い合わせを行い、前記着信端末選択装置からの応答にドメイン選択結果を示す情報が含まれた場合に、前記ドメイン選択装置への問い合わせを省略することを特徴とする呼・セッション制御装置。
【請求項１１】
通信端末からの呼・セッション接続要求を受信すると、前記着信端末選択装置への問い合わせを行い、前記着信端末選択装置からの応答に含まれるドメイン選択結果を示す情報を、前記ドメイン選択装置へ通知して、経由する通信ドメインの問い合わせを行うことを特徴とする請求項１０に記載の呼・セッション制御装置。
【請求項１２】
前記着信端末選択装置からの応答に含まれるドメイン選択結果と、前記ドメイン選択装置からの応答に含まれるドメイン選択結果とのいずれかを選択して、経由する通信ドメインを決定することを特徴とする請求項１０に記載の呼・セッション制御装置。
【請求項１３】
発呼側の通信端末が要求したドメインと、前記着信端末選択装置が選択したドメインとが同一の場合に、前記着信端末選択装置からの応答に含まれるドメイン選択結果を前記ドメイン選択装置からの応答に含まれるドメイン選択結果に優先して選択することを特徴とする請求項１２に記載の呼・セッション制御装置。
【請求項１４】
発呼側通信端末が要求したドメインと、前記着信端末選択装置が選択したドメインとが異なる場合に、前記ドメイン選択装置からの応答に含まれるドメイン選択結果を優先して選択することを特徴とする請求項１２に記載の呼・セッション制御装置。
【請求項１５】
発呼側通信端末が要求したドメインが回線交換ドメインである場合に、前記着信端末選択装置への問い合わせと、前記ドメイン選択装置への問い合わせとを行い、発呼側通信端末が要求したドメインがパケット交換ドメインである場合には、前記着信端末選択装置への問い合わせのみを行い、前記ドメイン選択装置への問い合わせを省略することを特徴とする請求項１０に記載の呼・セッション制御装置。
【請求項１６】
発呼側の通信端末が要求したドメインがパケット交換ドメインである場合に、前記着信端末選択装置への問い合わせと、前記ドメイン選択装置への問い合わせとを行い、発呼側の通信端末が要求したドメインが回線交換ドメインである場合に、前記着信端末選択装置への問い合わせのみを行い、前記ドメイン選択装置への問い合わせを省略することを特徴とする請求項１０に記載の呼・セッション制御装置。
【発明の詳細な説明】
【技術分野】
【０００１】
本発明は回線交換ネットワークと、パケット交換ネットワークとの両方の通信ドメインを有する移動通信システム等に関する。
【背景技術】
【０００２】
近年、移動通信ネットワークが多様化するに伴い、ネットワークに接続される端末の形態も多様化している。ユーザは、多様化する移動通信ネットワークに対応して複数の端末を所有・利用するようになっている。複数の端末を所有するユーザは、例えば、音声サービスに利用する端末、データ通信サービスに利用する端末など、自身の好みや端末の能力によって優先する端末を使い分けることが可能となる。
【０００３】
通常、移動通信ネットワークは、回線交換を利用するネットワークと、パケット交換を利用するネットワークにより構成されており、移動通信端末が呼・セッションを設定する際には、両方またはいずれか一方のネットワークに接続し、呼・セッションを設定する経路を設けることとなる（例えば、特許文献１参照）。
【０００４】
例えば、従来の移動通信ネットワークの概略を図９に示す。図９では、第１端末６０ａと、第２端末６０ｂが、無線アクセス手段を介してパケット交換ドメイン、回線交換ドメインにそれぞれ接続されている。ここで、回線交換ネットワークとパケット交換ネットワークとが並立して共存しているため、それぞれのネットワーク全体を回線交換ドメイン、パケット交換ドメインと呼んで区別する。
【０００５】
端末の回線交換ドメインからの発呼は、回線交換呼の発呼信号として、発呼側の回線交換ドメインから相手の通信端末が接続する回線交換ドメインを経由して着信する。端末のパケット交換ドメインからの発呼もまた、パケット交換呼の発呼信号としてパケット交換ドメインに経由されて着信する。また、パケット交換ドメインと、回線交換ドメインを介して通信を行う場合には、ＧＷが介在して通信が行われる。例えば、第１端末６０ａがパケット交換ドメインに、第２端末６０ｂが回線交換ドメインにそれぞれ接続されている場合には、端末間の通信は、ＧＷ９６を介して通信されることとなる。
【０００６】
ここで、各ドメインにはセッション制御装置が配されることが一般的である。セッション制御装置は、通信端末間の呼・セッションを制御しており、パケット交換ドメインではＣＳＣＦ（Call Session Control Function）が、回線交換ドメインではＭＳＣ（Mobile Services Switching Center）がセッション制御装置として機能する。
【０００７】
ここで、着信をする場合、ユーザが所有する複数の端末の中からどの端末に着信させ、セッションを設定すべきかが問題となる。そこで、移動通信ネットワークには、発呼を着信させてセッションを設定させるべき着信側通信端末を、複数の通信端末の中から選択する着信端末選択サーバがある。
【０００８】
着信端末選択サーバの機能としては、ユーザが複数の通信端末を所有している場合等に、当該複数の通信端末のいずれの端末で呼・セッションの着信を受け付けるかの優先度を管理しており、優先度の高い通信端末を着信先端末として選択する。通信端末の優先度は、ユーザが利用したい端末のプリファレンスによってユーザにより指定される。
【０００９】
また、着信端末選択サーバは、複数の通信端末それぞれのアクセス手段等の能力を考慮し、着信させるサービスの種類に応じた優先度を設定する場合もある。例えば、大容量のデータ通信サービスの場合にはデータ伝送能力の高いアクセス手段を持つ端末を優先したり、音声サービスの場合には、高速移動に適したアクセス手段を持つ端末を優先したりする。
【００１０】
ここで、着信端末選択サーバの概要について図１０を用いて説明する。図１０においてまず、第１端末６０ａから第３端末６０ｃを発呼先の端末と指定した発呼要求の信号をＣＳＣＦ８５に送信する（手順１）。ＣＳＣＦ８５は、着信端末選択サーバ８０に、発呼先の端末を問い合わせる（手順２）。ここで、着信端末選択サーバ８０は、第３端末６０ｃが第２端末６０ｂと同じユーザにより所有されている端末であることを判定する（以下、このように同一ユーザにより所有されている端末を「端末グループ」という）。
【００１１】
そして、着信端末選択サーバ８０は、端末グループの中から、発呼先となる端末を決定し（ここで、第２端末６０ｂとする）、発呼先端末をＣＳＣＦ８５に通知する（手順３）。ＣＳＣＦ８５は、着信端末選択サーバ８０に通知された第２端末６０ｂに対して発呼し、第１端末６０ａと、第２端末６０ｂのセッションを生成する（手順４）。
【００１２】
さらに、移動通信ネットワークには、通信端末へ呼・セッション設定する際に、発呼側から着信側の通信経路として、回線交換ドメインを中継するか、パケット交換ドメインを中継するかを選択するためのドメイン選択サーバがある。
【００１３】
従来、回線交換ドメインは主に音声サービスの呼・セッションを設定する際に用い、パケット交換ドメインはテキストや画像データ等のマルチメディアサービスの呼・セッションの設定に用いられている。しかし、近年は、ＶｏＩＰ技術等のように、音声サービスがパケット交換ドメインでも提供されている。したがって、ネットワークの負荷状況等により、回線交換ドメインを経由して設定するか、パケット交換ドメインを経由して設定するかを、移動通信ネットワークのドメイン選択サーバが選択することが可能となる。
【００１４】
例えば、端末が回線交換ドメインから発呼を行ったが、ドメイン選択サーバが、通信経路としてパケット交換ドメインの経由を選択すると、回線交換ドメインとパケット交換ドメイン間を相互接続するゲートウェイ（ＧＷ）を介して回線交換の発呼信号をパケット交換の発呼信号に変換する。着信側の端末は、当該発呼をパケット交換の発呼信号として受信し、パケット交換ドメインを経由したセッションを開始する。
【００１５】
ドメイン選択サーバは、ドメインの混雑状況（リソースの利用状況等）により、混雑していない方のドメインを選択することができる。
【００１６】
ここで、ドメイン選択サーバの概要について図１１を用いて説明する。図１１において、発呼側端末（第１端末６０ａ）がパケット交換ドメインに接続し、着信端末の電話番号等を指定して発呼すると、ＣＳＣＦ９２が発呼要求の信号を受ける（手順１）。そして着信端末（第２端末６０ｂ）への発呼をする前に、当該呼・セッションを経由すべきドメインを、ドメイン選択サーバ９０に問い合わせる（手順２）。
【００１７】
そして、ドメイン選択サーバ９０は、経路となるドメイン（回線交換ドメイン）を選択し、当該ドメインをＣＳＣＦ９２に通知する（手順３）。ＣＳＣＦ９２は、ドメイン選択サーバ９０から、回線交換ドメインを選択する通知を受信すると、ＧＷ９６に対して発呼要求を行う（手順４）。
【００１８】
ＧＷ９６は、ＣＳＣＦ９２から発呼要求を受信すると、回線交換ドメインのセッション制御装置であるＭＳＣ９４に対して発呼要求の信号を送信する（手順５）。発呼要求の信号を受信すると、ＭＳＣ９４は第２端末６０ｂに発呼する（手順６）。このようにして、発呼側端末（第１端末６０ａ）と、着信側端末（第２端末６０ｂ）との間に呼・セッションを設定すると、ブロック矢印に示すように、パケット交換呼がＧＷ９６で回線交換呼に変換されて第２端末６０ｂに到着する。
【００１９】
なお、前述の着信端末選択サーバ８０と、ドメイン選択サーバ９０は、アプリケーションサーバであり、回線交換呼及びパケット交換呼を処理するサーバであるが、その目的が違うため分けて構成され、独立に動作する。ドメイン選択サーバ９０でのドメイン選択処理は、端末からのすべての発呼について行われるが、着信端末選択サーバ８０での着信端末選択処理は、着信先の端末が他の端末と共にユーザに利用されている等、複数の端末がグループの状態であるときに行われ、端末が単体で利用されている時には行われないこととなる。
【特許文献１】特開２００６−８０６９３号公報
【発明の開示】
【発明が解決しようとする課題】
【００２０】
上述した着信端末選択サーバと、ドメイン選択サーバとが移動通信ネットワークに共存し、それぞれ動作すると、以下のような問題が生じていた。
【００２１】
例えば、ドメイン選択サーバが回線交換ドメインを選択したが、着信端末選択サーバでは着信先として、パケット交換専用端末等、すなわちパケット交換ドメインしか接続できない端末を選択する場合がある。この場合、選択結果が整合せず、適切な通信を行うことが出来なかった。
【００２２】
また、着信端末選択サーバが音声呼の着信先としてパケット交換に適した端末を選択したが、ドメイン選択サーバは当該音声呼を回線交換ドメインへ経由することを選択する場合がある。この場合も、双方の選択結果が整合せず、適切な通信を行うことが出来なかった。
【００２３】
また、ドメイン選択サーバは、着信側端末が確定していることを前提にドメイン選択し、着信端末選択サーバは、要求された呼・セッションの種別（回線交換呼か、パケット交換呼か）に依存せず着信側端末を選択する。したがって、両機能のどちらか一方が独立して動作する場合は問題とはならないが、両機能が並列に動作する場合には、どちらか一方が決まらないと他方が決まらないという問題があった。
【００２４】
また、ドメイン選択サーバによるドメイン選択処理、または着信端末選択サーバによる着信側端末選択処理のいずれかを先に確定してから他方を確定したとしても、最適な選択結果を得ることにはならない。例えば、ドメイン選択サーバが、通話品質確保等のため回線交換ドメインを選択しても、着信端末選択サーバが高速パケット伝送可能な端末を選択した場合、当該端末に対してはパケット交換ドメインで伝送する方が高品質のサービスを提供できる可能性があり、適切な結果が選択されていない場合があった。
【００２５】
斯かる実情に鑑み、本発明が目的とするところは、着信端末選択サーバ及びドメイン選択サーバがそれぞれ配された移動通信システムにおいて、適切にドメイン及び端末を選択することが出来る移動通信システム等を提供することである。
【課題を解決するための手段】
【００２６】
上述した課題に鑑み、本発明における移動通信システムは、回線交換ネットワークと、パケット交換ネットワークとの両方の通信ドメインを有する移動通信システムは、通信端末間での呼接続、セッション接続を制御する呼・セッション制御装置と、いずれの通信ドメインを経由して接続するかを決定して前記呼・セッション制御装置に通知するドメイン選択装置と、着信先として接続する端末を選択する着信端末選択装置と、前記通信ドメインを介して接続される通信端末と、を備え、前記着信端末選択装置は、着信先として選択した通信端末がいずれの通信ドメインを経由して接続するかを示すドメイン選択手段を有することを特徴とする。
【００２７】
また、本発明における移動通信システムにおいて、前記呼・セッション制御装置は、通信端末からの呼・セッション接続要求を受信すると、前記呼・セッション制御装置から前記着信端末選択装置への問い合わせを行い、前記着信端末選択装置からの応答にドメイン選択結果を示す情報が含まれた場合に、前記呼・セッション制御装置から前記ドメイン選択装置への問い合わせを省略することを特徴とする。
【００２８】
また、本発明における移動通信システムにおいて、前記呼・セッション制御装置は、通信端末からの呼・セッション接続要求を受信すると、前記呼・セッション制御装置から前記着信端末選択装置への問い合わせを行い、前記着信端末選択装置からの応答に含まれるドメイン選択結果を示す情報を、前記呼・セッション制御装置から前記ドメイン選択装置へ通知して、経由する通信ドメインの問い合わせを行うことを特徴とする。
【００２９】
また、本発明における移動通信システムにおいて、前記呼・セッション制御装置は、前記着信端末選択装置からの応答に含まれるドメイン選択結果と、前記ドメイン選択装置からの応答に含まれるドメイン選択結果とのいずれかを選択して経由する通信ドメインを決定することを特徴とする。
【００３０】
また、本発明における移動通信システムは、発呼側の通信端末が要求したドメインと、前記着信端末選択装置が選択したドメインとが同一の場合に、前記着信端末選択装置からの応答に含まれるドメイン選択結果を前記ドメイン選択装置からの応答に含まれるドメイン選択結果に優先して選択することを特徴とする。
【００３１】
また、本発明における移動通信システムは、発呼側の通信端末が要求したドメインと、前記着信端末選択装置が選択したドメインとが異なる場合に、前記ドメイン選択装置への問い合わせを行い、前記ドメイン選択装置からの応答に含まれるドメイン選択結果を優先して選択することを特徴とする。
【００３２】
また、本発明における移動通信システムは、発呼側の通信端末が要求したドメインが回線交換ドメインである場合には、前記着信端末選択装置への問い合わせと、前記ドメイン選択装置への問い合わせとを行い、発呼側通信端末が要求したドメインがパケット交換ドメインである場合には、前記着信端末選択装置への問い合わせのみを行い、前記ドメイン選択装置への問い合わせを省略することを特徴とする。
【００３３】
また、本発明における移動通信システムは、発呼側の通信端末が要求したドメインがパケット交換ドメインである場合に、前記着信端末選択装置への問い合わせと、前記ドメイン選択装置への問い合わせとを行い、発呼側の通信端末が要求したドメインが回線交換ドメインである場合に、前記着信端末選択装置への問い合わせのみ行い前記ドメイン選択装置への問い合わせを省略することを特徴とする。
【００３４】
また、本発明における着信端末選択装置は、着信先として選択した通信端末がいずれの通信ドメインを経由して接続するかを示すドメイン選択手段を有することを特徴とする。
【００３５】
また、本発明における呼・セッション制御装置は、通信端末からの呼・セッション接続要求を受信すると、前記着信端末選択装置への問い合わせを行い、前記着信端末選択装置からの応答にドメイン選択結果を示す情報が含まれた場合に、前記ドメイン選択装置への問い合わせを省略することを特徴とする。
【００３６】
また、本発明における呼・セッション制御装置は、通信端末からの呼・セッション接続要求を受信すると、前記着信端末選択装置への問い合わせを行い、前記着信端末選択装置からの応答に含まれるドメイン選択結果を示す情報を、前記ドメイン選択装置へ通知して、経由する通信ドメインの問い合わせを行うことを特徴とする。
【００３７】
また、本発明における呼・セッション制御装置は、前記着信端末選択装置からの応答に含まれるドメイン選択結果と、前記ドメイン選択装置からの応答に含まれるドメイン選択結果とのいずれかを選択して、経由する通信ドメインを決定することを特徴とする。
【００３８】
また、本発明における呼・セッション制御装置は、発呼側の通信端末が要求したドメインと、前記着信端末選択装置が選択したドメインとが同一の場合に、前記着信端末選択装置からの応答に含まれるドメイン選択結果を前記ドメイン選択装置からの応答に含まれるドメイン選択結果に優先して選択することを特徴とする。
【００３９】
また、本発明における呼・セッション制御装置は、発呼側通信端末が要求したドメインと、前記着信端末選択装置が選択したドメインとが異なる場合に、前記ドメイン選択装置からの応答に含まれるドメイン選択結果を優先して選択することを特徴とする。
【００４０】
また、本発明における呼・セッション制御装置は、発呼側通信端末が要求したドメインが回線交換ドメインである場合に、前記着信端末選択装置への問い合わせと、前記ドメイン選択装置への問い合わせとを行い、発呼側通信端末が要求したドメインがパケット交換ドメインである場合には、前記着信端末選択装置への問い合わせのみを行い、前記ドメイン選択装置への問い合わせを省略することを特徴とする。
【００４１】
また、本発明における呼・セッション制御装置は、発呼側通信端末が要求したドメインがパケット交換ドメインである場合に、前記着信端末選択装置への問い合わせと、前記ドメイン選択装置への問い合わせとを行い、発呼側の通信端末が要求したドメインが回線交換ドメインである場合に、前記着信端末選択装置への問い合わせのみを行い、前記ドメイン選択装置への問い合わせを省略することを特徴とする。
【発明の効果】
【００４２】
本発明によれば、移動通信システム内において、ドメイン選択サーバと着信端末選択サーバとをそれぞれ配置して共存することが可能となる。
【００４３】
また、着信側端末選択装置にドメイン選択装置を代替する手段を持たせることで、端末の選択と、選択した端末のドメインのプリファレンスを通知することができ、ドメイン選択装置でのドメイン選択処理を補完することができる。また、ドメイン選択装置への問い合わせをスキップすることもでき、制御情報を省略し、システムの処理負荷の軽減になる。
【００４４】
ドメイン選択結果が着信側端末選択結果に影響を与えないため、ユーザは自身の指定した優先度の高い通信端末または着信端末選択装置の選択した適当な通信端末で呼・セッションを設定することができる。
【発明を実施するための最良の形態】
【００４５】
まず、図を用いて本発明を適用した場合における通信制御システムについて説明する。図１は、通信制御システムの構成を示す図である。通信制御システムには、パケット交換の呼・セッションを制御する為のＣＳＣＦ３０（呼・セッション制御装置）と、回線交換の呼・セッションを制御するＭＳＣ４０（交換機）と、ＣＳＣＦ３０及びＭＳＣ４０を制御する為のアプリケーションサーバとして、着信端末選択サーバ１０と、ドメイン選択サーバ２０とを備えて構成されている。
【００４６】
また、両ドメイン間を相互接続するＧＷ５０（ゲートウェイ）が配置されている。そして、端末６０は、ＣＳＣＦ３０や、ＭＳＣ４０に接続することにより通信を行うこととなる。図１の通信制御システムにおいては、第１端末６０ａ、第２端末６０ｂ、第３端末６０ｃが配置されている。
【００４７】
回線交換呼のデータは、ＭＳＣ４０が設定した経路上の回線を占有して伝送され、パケット交換呼のデータは、ＣＳＣＦ３０が設定した経路上をパケットとして伝送されることとなり、ドメインを跨ってデータを伝送するには、ＧＷ５０において、回線交換呼とパケット交換呼の変換を行い、ＧＷ５０を介してデータを送受信することとなる。
【００４８】
また、端末６０は両ドメインまたはいずれか一方のドメインに接続する。図１では、第１端末６０ａ、第２端末６０ｂは両ドメインにそれぞれ接続している。また、第３端末６０ｃは、例えば回線交換専用の電話端末であり、回線交換ドメインのみに接続している。また、本実施形態においては、第２端末６０ｂと第３端末６０ｃとは同一ユーザ等により所有された端末（端末グループ）である。
【００４９】
ここで、着信端末選択サーバ１０は、一人のユーザが複数の端末を所有している場合等に、その複数端末をそのユーザの端末グループとして管理し、その着信優先度を管理している。図１の場合では、第２端末６０ｂと第３端末６０ｃとが端末グループであることを管理する。
【００５０】
ＣＳＣＦ３０またはＭＳＣ４０が端末グループ（またはグループに含まれる端末のいずれか）への発呼を受けると、着信端末選択サーバ１０に問い合わせ、着信端末選択サーバ１０は、呼の着信先となる端末をグループの中から選択し、その選択結果を、問い合わせを行ったＣＳＣＦ３０またはＭＳＣ４０に応答することとなる。
【００５１】
ここで、図２に着信端末選択サーバ１０と、ドメイン選択サーバ２０の機能構成図を示す。図２に示すように、着信端末選択サーバ１０は、優先度記憶部１０２と、端末選択部１０４と、端末グループ管理部１０６とを備えている。また、ドメイン選択サーバ２０は、ポリシー記憶部２０２と、ドメイン選択部２０４と、ドメイン状態管理部２０６とを備えている。
【００５２】
優先度記憶部１０２は、着信端末選択サーバ１０が、着信する端末を選択する際に用いる端末の選択条件のテーブル（選択条件テーブル）を記憶する領域である。テーブルの情報は、例えば、予めユーザからグループ内に含まれる端末６０の着信優先度の通知を受けることにより記憶し、管理する。
【００５３】
ここで、選択条件テーブルのデータ構成の一例を図３に示す。選択条件テーブルには、グループ内の端末と、呼・セッションの種別（発呼種別）とに対応づけて優先度が記憶されている。例えば、第２端末６０ｂと第３端末６０ｃを所有するユーザが、第３端末６０ｃを常時携帯し、音声電話のセッションを第３端末６０ｃへ優先的に着信させるように設定させたい場合、第３端末６０ｃの「電話」の優先度を高くする。
【００５４】
また、第２端末６０ｂがパソコンのような画面サイズの大きい端末であるため、テレビ電話の発着信において、第２端末６０ｂを利用したい場合、第３端末６０ｃではなく第２端末６０ｂの「テレビ電話」の優先度を高くする。このように、要求された呼・セッションの種別（電話、テレビ電話等）と端末のタイプや能力、利用コスト等を考慮して、優先度を記憶するテーブルである。
【００５５】
なお、選択条件テーブルに優先度を設定するのは、ユーザが任意に設定しても良いし、着信端末選択サーバ１０が、ユーザからの通知を代替して端末グループに含まれる端末のタイプ、能力等から、呼・セッションの種類によって、テーブルの情報を設定しても良い。
【００５６】
端末選択部１０４は、優先度記憶部で記憶する優先度に従って、着信側端末を選択する機能部であり、端末グループの中から、どの端末に着信するかを選択し、その端末の宛先アドレスをセッション制御装置に応答する。
【００５７】
端末グループ管理部１０６は、ユーザの所有する複数の端末を端末グループとして管理する機能部である。例えば、図１の場合は、第２端末６０ｂと、第３端末６０ｃを端末グループとして管理し、第２端末６０ｂと第３端末６０ｃの電話番号、アドレスに加えて、その端末が回線交換専用の音声電話端末であるのか、パケット交換専用のパソコンであるのか等の端末が接続可能、利用可能なドメインを併せて管理する。また、ユーザが第２端末６０ｂだけを携帯し、第３端末６０ｃはユーザの近くにない場合など、ユーザが端末グループの端末をすべて利用できる時もあれば、一部しか利用できない時がある。こうしたユーザの状態によって、端末グループの中からその時利用可能な端末を管理しておく。
【００５８】
ここで、端末グループに含まれる端末６０への着信は、回線交換呼の場合もあれば、パケット交換呼の場合もあるが、端末６０の選択時はこの違いを問わない。例えば、端末グループの中にユーザが常時利用している回線交換専用の音声電話端末があり、電話の場合はこの音声端末を優先する設定であれば、発呼側の発呼がパケット交換呼であった場合でも、着信端末選択サーバ１０では電話サービスであれば回線交換専用の音声電話端末を着信先に選択する。この場合、パケット交換呼はＧＷ５０で回線交換呼に変換され、回線交換ドメインを経由して音声端末に着信するようセッション制御装置（ＣＳＣＦまたはＭＳＣ）が制御する。
【００５９】
また、端末グループの中に、パソコン等のパケット交換専用端末があるが、ユーザがパソコンの前に座っているので、電話の着信先としてパソコンを優先している場合がある。この場合は、着信端末選択サーバ１０は回線交換の電話であっても着信先としてパソコンを選択し、回線交換呼をＧＷでパケット交換呼に変換し、パケット交換ドメインを経由してパソコンに着信するようセッション制御装置（ＣＳＣＦまたはＭＳＣ）が制御する。
【００６０】
着信端末を選択した着信端末選択サーバ１０は、その選択結果をセッション制御装置であるＣＳＣＦ３０またはＭＳＣ４０に応答する際、選択した端末が回線交換呼を受信するのに適しているか、パケット交換呼を受信するのに適しているかの情報を、ドメインのプリファレンス情報として含める。この情報は、ドメイン選択サーバ２０において、ドメイン選択処理時に利用されることとなる。
【００６１】
続いてドメイン選択サーバ２０について説明する。まず、ポリシー記憶部２０２は、端末とその相手となる端末に呼・セッションを設定する際に、通信品質確保の観点等から、回線交換ドメインを用いるか、パケット交換ドメインを用いるかの選択ポリシーを記憶する機能部である。
【００６２】
ドメイン選択部２０４は、端末に呼・セッションを設定するドメインを選択し、選択したドメインへの経路情報をセッション制御装置に通知する機能部である。
【００６３】
ドメイン状態管理部２０６は、ドメインの状態を管理する機能部である。例えば、各ドメインが混雑しているか否か（輻輳状態となっているか否か）等、各ドメインの状態（リソース）を管理する。
【００６４】
端末６０は、回線交換ドメイン及びパケット交換ドメインの両方、またはいずれかのドメインに接続している。発呼元の端末が、回線交換ドメインまたはパケット交換ドメインから発呼すると、当該発呼したドメインのセッション制御装置は、ドメイン選択サーバに発呼を経由するドメインを問い合わせる。
【００６５】
ここで、ドメイン選択サーバの処理について、図４のフローを用いて説明する。まず、セッション制御装置からのドメイン問い合わせを受信すると、発呼元が回線交換呼で発呼しているか、パケット交換呼で発呼しているかの発呼種別を判断し、着信先に指定された端末がどのドメインに接続されているかを確認する（ステップＳ１００）。
【００６６】
つづいて、発呼種別に対応するドメインのリソース状態を確認する（ステップＳ１０２）。例えば、パケット交換ドメインのリソースより回線交換ドメインのリソースが不足している場合は、回線交換呼であってもパケット交換ドメインを経由するようパケット交換ドメインを選択する。
【００６７】
また、ドメインの選択ポリシーとして、ＱｏＳを保証する目的で回線交換ドメインを優先して選択する場合や、帯域を柔軟に制御して可変ビットレートで設定するべくパケット交換ドメインを選択する場合もある。
【００６８】
ドメインの選択の結果、設定される呼・セッションの経路の状態について、図５を用いて説明する。例えば、発呼側端末（第１端末）から着信側端末（第２端末）への回線交換呼に対し、ドメイン選択サーバ２０が回線交換ドメインを選択すると、回線交換ドメインを経由した呼・セッションが設定される（図５（１））。
【００６９】
また、発呼側端末（第１端末）から着信側端末（第２端末）への回線交換呼の発呼に対し、ドメイン選択サーバ２０がパケット交換ドメインを選択すると、ドメイン間を相互接続するＧＷ５０を介し、パケット交換ドメインへ経由する経路となる（図５（２））。この例のように、ドメインを跨る経路となる場合は、ドメイン選択サーバは、セッション制御装置へのドメイン選択結果の応答に、選択したドメインへの経路情報を含めることとする。
【００７０】
ここで、ドメイン選択サーバ２０は、ドメイン選択の際に、着信端末選択サーバ１０から通知されるドメインのプリファレンス情報を勘案する。例えば、着信先端末が回線交換に適しているプリファレンスが示されていれば、ドメイン選択サーバ２０はそれを勘案して回線交換ドメインを選択する。
【００７１】
逆に、着信側端末のドメインのプリファレンスが回線交換であっても、回線交換ドメインのリソースの占有状況によりリソースの確保ができない場合等には、ドメインの状態を優先してパケット交換ドメインを選択し、セッションを設定する。このような場合には、着信側端末への発呼、セッション設定時に、回線交換では提供できないのでパケット交換呼として提供することを通知する。
【００７２】
さらに、このような場合にも着信側端末のドメインのプリファレンスを優先するよう、着信先ドメインに呼を中継する中継ドメインを介在させる場合もある。例えば、着信側端末のドメインのプリファレンスが回線交換ドメインである場合、着信ドメインはドメインのプリファレンスに従って回線交換ドメインを選択するが、回線交換ドメインが混雑しており一部の区間で所定のリソースを確保できない場合等には、途中の中継ドメインとしてパケット交換ドメインを選択する（図５（３））。
【００７３】
この例は、着信端末選択サーバ１０からドメインのプリファレンス情報が通知されなかった場合にも応用される。ドメイン選択サーバ２０は、着信先ドメインのプリファレンスが通知されなかった場合には、ドメインの状態、ドメインのポリシーを優先して中継ドメインを選択し、着信ドメインとしては、着信端末選択サーバ１０が選択した端末の接続ドメインを選択する。
【００７４】
セッション制御装置であるＣＳＣＦ３０またはＭＳＣ４０は、発呼端末から端末グループまたは端末グループのいずれかを着信先に指定した発呼要求を受けると、着信端末選択サーバ１０に当該グループ内の着信先端末を問い合わせる。さらに、ドメイン選択サーバ２０へ呼・セッションを経由するドメインを問い合わせる。そして、着信端末選択及びドメイン選択結果に応じて呼・セッションを設定する。
【００７５】
着信端末選択サーバ１０への問い合わせの応答には、端末選択結果と共に、そのドメインのプリファレンスの情報が示されており、ＣＳＣＦ３０またはＭＳＣ４０はドメイン選択サーバにドメインを問い合わせる際に、端末選択結果と、選択した端末のドメインのプリファレンスを通知する。
【００７６】
また、ドメインのプリファレンスによって、セッション制御装置であるＣＳＣＦ３０またはＭＳＣ４０は、ドメイン選択サーバへのドメインの問い合わせをスキップする。例えば、着信端末選択サーバ１０が通知したドメインのプリファレンスが、発呼側端末が発呼要求をしたドメインと同一の場合、即ち、ドメインを跨らずに発呼・セッション設定する場合、ＣＳＣＦ３０またはＭＳＣ４０は、ドメイン選択サーバ２０への問い合わせをスキップし、選択した端末６０へ、その端末６０のドメインのプリファレンスに従って発呼する。この場合は、着信端末選択サーバ１０がドメイン選択サーバ２０の機能を代替し、ドメイン選択までを含めた処理を行うことを意味する。
【００７７】
このように、発呼側端末が発呼したドメインと、着信端末選択サーバ１０が選択した着信側の端末のドメインのプリファレンスが同一の場合、着信までの処理手順を省略する目的で、セッション制御装置が問い合わせをスキップしてもよいし、ドメインの状態等を勘案しドメインを確定する目的で、ドメイン選択サーバ２０への問い合わせをスキップせずに実行してもよい。
【００７８】
また、さらに簡易的に、発呼側の端末の最初の発呼要求がパケット交換呼であった場合には、常にドメイン選択サーバへの問い合わせをスキップし、回線交換呼であった場合には、常にドメイン選択サーバにドメインを問い合わせるようにしてもよい。
【００７９】
すなわち、回線交換ドメインの場合、回線のリソースの占有状況（混雑状況）の影響を受ける可能性があることを考慮し、ドメイン選択の際にパケット交換ドメインへの中継を選択することが多いことを前提として、回線交換呼の発呼のみを対象に、着信端末選択サーバ１０への問い合わせ後、ドメイン選択サーバ２０へ問い合わせる。反対に、パケット交換呼の発呼については、着信端末選択サーバ１０への問い合わせだけを行い、ドメイン選択サーバ２０への問い合わせをスキップすることとしても良い。
【００８０】
また、上述とは逆に、ＱｏＳを保証する目的で、パケット交換呼で要求された発呼について、リソースを確保して回線交換呼として提供する場合は、パケット交換呼に対して着信端末選択後、ドメイン選択サーバ２０へ問い合わせ時にドメインのプリファレンスとして回線交換ドメインを指定し、ドメイン選択処理時に回線交換ドメインが選択されるようにしてもよい。
【００８１】
そして、回線交換の発呼に対しては、着信端末選択時に回線交換呼に適した通信端末を選択し、ＭＳＣからドメイン選択サーバへの問い合わせをスキップして、回線交換ドメインを着信ドメインとして発呼する。
【００８２】
ドメイン選択サーバへの問い合わせを行うか、スキップするかは、通信事業者のポリシーによって決めればよく、すべての発呼に対し、常にセッション制御装置からドメイン選択サーバに問い合わせを行っても良いし、着信までの処理手順の簡略化を優先する場合は、呼・セッションの種類や、ドメインのプリファレンスとの兼ね合い、提供するドメインの能力等によって、スキップを判定してもよい。
【００８３】
［第１動作例］
続いて、通信制御システムの動作について図を用いて説明する。図６に、第１端末６０ａが第２端末６０ｂ・第３端末６０ｃの端末グループにパケット交換呼を発呼するケースを例に、制御手順を示す。第３端末６０ｃは、第２端末６０ｂと同一ユーザによって所有され、音声呼の優先度が高く設定された、回線交換方式を利用する電話端末である。また、第２端末６０ｂは、高速パケット伝送処理が可能な携帯電話等の端末である。
【００８４】
まず、第１端末６０ａからＣＳＣＦ３０へ、第２端末６０ｂに対する音声呼の発呼要求があると（手順１）、ＣＳＣＦ３０は、当該発呼要求を着信させる端末を、着信端末選択サーバ１０に問い合わせる（手順２）。なお、当該発呼は第１端末６０ａが、パケット交換ドメインに接続して行っているパケット交換の音声呼の発呼である。
【００８５】
着信端末選択サーバ１０は、端末グループ内で音声電話の着信優先度が高い第３端末６０ｃを選択し（手順３）、選択した第３端末６０ｃの宛先アドレスをＣＳＣＦ３０へ応答する。また、第３端末６０ｃは、回線交換専用の端末であり、音声呼の種類として回線交換呼を嗜好していること、即ちドメインのプリファレンスが回線交換ドメインであることを示す情報を、前記選択結果の応答と共にＣＳＣＦ３０に通知する（手順４）。
【００８６】
ＣＳＣＦ３０は、ドメイン選択サーバ２０に第３端末６０ｃへの発呼を中継するドメインを問い合わせる（手順５）。この問い合わせには、第３端末６０ｃの宛先アドレス、第３端末６０ｃのドメインのプリファレンスが回線交換ドメインであることを示す情報が含まれている。
【００８７】
ドメイン選択サーバ２０は、ドメインのプリファレンスが回線交換であることを確認し、さらに回線交換トラフィックのリソース状況を勘案し、回線交換ドメインへ経由可能であることを判定し、回線交換ドメインを選択する（手順６）。そして、選択結果をＣＳＣＦ３０に応答する（手順７）。この応答には、回線交換ドメインへの経由の経路情報が含まれるものとする。
【００８８】
なお、通知されたドメインのプリファレンスが回線交換であっても、回線交換ドメインのリソース状況によっては、ドメイン選択サーバはパケット交換ドメインを選択する場合がある。その場合は、パケット交換ドメインへの経路情報を含め、ＣＳＣＦ３０に応答する。
【００８９】
このケースでは、最初の発呼がパケット交換呼であるが、回線交換ドメインを経由する回線交換呼に変換するため、相互接続のためのＧＷ５０を中継する経路となり、ＣＳＣＦ３０は経路情報に従い回線交換ドメインのＭＳＣ４０にＧＷ５０を介して第３端末６０ｃへの発呼を要求する（手順８、９）。
【００９０】
ＭＳＣ４０は、第３端末６０ｃに発呼し（手順１０）、第３端末４０ｃが応答すると、音声呼のセッションがパケット交換ドメインと回線交換ドメインを介して設定される。
【００９１】
このケースのように、着信端末選択サーバ１０が通知した着信側端末のドメインのプリファレンスが、発呼側が発呼したドメインとは異なる場合（相互接続のＧＷ５０を介しドメインを跨って発呼する必要がある場合）は、ＣＳＣＦ３０が経路情報を得る目的で、ドメイン選択サーバへの問い合わせを行うことを判定する。
【００９２】
［第２動作例］
次に、テレビ電話の発呼要求があった場合の動作について、図７を用いて説明する。
【００９３】
第１端末６０ａからＣＳＣＦ３０へ、第２端末６０ｂに対するテレビ電話の発呼要求があると（手順１）、ＣＳＣＦ３０は当該発呼要求を着信させる端末を、着信端末選択サーバ１０に問い合わせる（手順２）。なお、当該発呼は第１端末６０ａがパケット交換ドメインに接続して行っているパケット交換呼である。
【００９４】
着信端末選択サーバ１０は、テレビ電話の着信先として、高速パケット伝送処理が可能なアクセス手段を有する第２端末６０ｂを選択し（手順３）、第２端末６０ｂがパケット交換呼を嗜好していること、即ちドメインのプリファレンスがパケット交換ドメインであることを示す情報と共に、端末選択結果をＣＳＣＦ３０に応答する（手順４）。ここで、選択した端末は発呼側端末が指定した第２端末６０ｂと同一であるので、この応答には、第２端末６０ｂの宛先アドレスは含めなくてもよい。
【００９５】
ＣＳＣＦ３０は、端末選択結果及びドメインのプリファレンスの情報を受け、着信端末選択サーバが通知したドメインのプリファレンスがパケット交換ドメインであり、発呼側が指定したドメインと同一の場合（ドメインを跨らずに発呼する場合）であるから、ＣＳＣＦ３０はドメイン選択サーバへの問い合わせをスキップすると判定する（手順５）。
【００９６】
そして、ドメイン選択サーバへの問い合わせの手順をスキップし、第３端末６０ｃにパケット交換呼の発呼を行う（手順６）。
【００９７】
［第３動作例］
また、本発明のもうひとつの制御手順として、着信端末選択サーバ１０からドメインのプリファレンス情報が通知されなかった場合の動作について、図８を用いて説明する。
【００９８】
第１端末６０ａからＣＳＣＦ３０へ、第２端末６０ｂに対する音声呼の発呼要求があると（手順１）、ＣＳＣＦ３０は当該発呼要求を着信する端末を、着信端末選択サーバ１０に問い合わせる（手順２）。なお、当該発呼は第１端末６０ａがパケット交換ドメインに接続して行っているパケット交換の音声呼である。
【００９９】
着信端末選択サーバ１０は、音声電話の着信優先度が高い第３端末６０ｃを選択し（手順３）、選択した第３端末６０ｃの宛先アドレスを通知する（手順４）。ここで、第３端末６０ｃは回線交換専用の音声端末であるが、ドメインのプリファレンスが回線交換ドメインであることを示す情報は選択結果に含めずにＣＳＣＦ３０に応答する。
【０１００】
ＣＳＣＦ３０は、応答にドメインのプリファレンスが含まれていないことを確認して、ドメイン選択サーバ２０への問い合わせが必要なことを判定し（手順５）、ドメイン選択サーバ２０に第３端末６０ｃへの発呼を経由するドメインを問い合わせる（手順６）。この問い合わせには、第３端末６０ｃの宛先アドレスを含める。
【０１０１】
ドメイン選択サーバ２０は、当該発呼がパケット交換呼であることから、第３端末６０ｃがパケット交換ドメインに接続されているかを確認する。
【０１０２】
そして、第３端末６０ｃがパケット交換ドメインに接続されておらず回線交換ドメインに接続されていることを確認すると、さらに回線交換ドメインのリソース状況を勘案し、回線交換ドメインへ経由可能であることを判定し、回線交換ドメインを選択する（手順７）。そして、選択結果をＣＳＣＦ３０に応答する（手順８）。この応答には、回線交換ドメインへの経路情報を含める。
【０１０３】
この動作例では、最初の発呼がパケット交換呼であるが、回線交換ドメインを経由する回線交換呼に変換するため、相互接続のためのＧＷ５０を中継する経路となり、ＣＳＣＦ３０は経路情報に従い、回線交換ドメインのＭＳＣ４０にＧＷを介して第３端末６０ｃへの発呼を要求する（手順９、１０、１１）。
【０１０４】
ＭＳＣ４０は、第３端末６０ｃに発呼し、第３端末６０ｃが応答すると、音声呼のセッションがＧＷ５０を介してパケット交換ドメインと回線交換ドメイン間で設定される。
【０１０５】
このケースのように、着信端末選択サーバ１０が着信先端末のドメインのプリファレンスを通知しない場合は、中継経路の情報を得る目的でＣＳＣＦ３０がドメイン選択サーバへの問い合わせを行う。
【０１０６】
なお、発呼側のドメインが回線交換ドメインであり、ドメイン選択サーバが選択した着信ドメインも回線交換という場合であっても、ドメインのリソース状況等によっては、ドメイン選択サーバはさらに中継ドメインとしてパケット交換ドメインを選択する場合がある。その場合は、その選択結果としてパケット交換ドメインへの中継後に回線交換ドメインに着信する経路情報をセッション制御装置に応答する。その結果、回線交換呼の発呼は、回線交換ドメインからパケット交換ドメインに中継され、さらに着信側の回線交換ドメインを経由して着信する。
【０１０７】
なお、本発明の移動通信システムは、上記した実施の形態に限定されるものではなく、本発明の要旨を逸脱しない範囲内において種々変更を加え得ることは勿論である。
【図面の簡単な説明】
【０１０８】
【図１】通信制御システムの概略を示す図である。
【図２】着信端末選択サーバ及びドメイン選択サーバの構成を示す図である。
【図３】選択条件テーブルのデータ構成の一例を示す図である。
【図４】通信制御システムの動作フローを示す図。
【図５】ドメイン選択の形態について説明するための図。
【図６】通信制御システムの処理について説明するための図。
【図７】通信制御システムの処理について説明するための図。
【図８】通信制御システムの処理について説明するための図。
【図９】従来の通信制御システムについて説明するための図。
【図１０】従来の通信制御システムについて説明するための図。
【図１１】従来の通信制御システムについて説明するための図。
【符号の説明】
【０１０９】
１０  着信端末選択サーバ
１０２  優先度記憶部
１０４  端末選択部
１０６  端末グループ管理部
２０  ドメイン選択サーバ
２０２  ポリシー記憶部
２０４  ドメイン選択部
２０６  ドメイン状態管理部
３０  ＣＳＣＦ
４０  ＭＳＣ
５０  ＧＷ
６０ａ  第１端末
６０ｂ  第２端末
６０ｃ  第３端末
【図１】
2008219268.tif 000003
【図２】
2008219268.tif 000004
【図３】
2008219268.tif 000005
【図４】
2008219268.tif 000006
【図５】
2008219268.tif 000007
【図６】
2008219268.tif 000008
【図７】
2008219268.tif 000009
【図８】
2008219268.tif 000010
【図９】
2008219268.tif 000011
【図１０】
2008219268.tif 000012
【図１１】
2008219268.tif 000013